(57)【要約】【課題】シフトパターンとしてＨパターンが採用されるＭＴ車用の手動変速機であって、フォークシャフトの軸方向における全移動範囲をより狭くできるものを提供すること。【解決手段】Ｓ＆Ｓシャフトの回動位置が基準位置にあるとき、インナレバーＩＬの係合部は「垂線Ｚに対して所定角度θｚだけ傾いた直線」の上に位置する。対応するセレクト位置から「１速（或いは３速、５速）のシフト完了位置」へのシフト操作によって、Ｓ＆Ｓシャフトの回動位置が基準位置から反時計回りに角度θＡだけ回転し、フォークシャフトＦＳ１（或いはＦＳ２、ＦＳ３）が、中立位置から距離Ｂ２だけ左側に移動する。対応するセレクト位置から「２速（或いは４速）のシフト完了位置」へのシフト操作によって、Ｓ＆Ｓシャフトの回動位置が基準位置から時計回りに角度θＡだけ回転し、ＦＳ１（或いはＦＳ２）が、中立位置から距離Ｂ１だけ右側に移動する（Ｂ１＜Ｂ２）。【選択図】図３
2012189156.tif 000002
【特許請求の範囲】
【請求項１】
動力源（Ｅ／Ｇ）を備えた車両に適用され、複数の変速段のそれぞれを確立するための運転者により操作されるシフト操作部材（ＳＬ）のそれぞれの操作が、シフトパターン上において、前記シフト操作部材の位置を、前記車両の左右方向の操作であるセレクト操作によって対応するセレクト位置に移動し、その後、前記車両の前後方向の操作であるシフト操作によって前記対応するセレクト位置から対応するシフト完了位置に移動することにより達成されるように構成された、トルクコンバータを備えない手動変速機（Ｍ／Ｔ）であって、
前記動力源から動力が入力される入力軸（Ａｉ）と、
前記車両の駆動輪へ動力を出力する出力軸（Ａｏ）と、
前記シフト操作部材を前記シフトパターン上において前記複数の変速段（１速〜５速）に対応するそれぞれの前記シフト完了位置に移動することによって、前記入力軸と前記出力軸との間で、前記出力軸の回転速度に対する前記入力軸の回転速度の割合である変速機減速比が対応する変速段に対応するそれぞれの値に設定される動力伝達系統を確立する変速機変速機構（Ｍ）と、
を備えた手動変速機であり、
前記シフトパターン上において、前記複数の変速段のうちの第１の変速段及び第２の変速段に対応する前記セレクト位置から前記車両の前方側に前記第１の変速段（１速、３速）のシフト完了位置が配置され、前記第１及び第２の変速段に対応するセレクト位置から前記車両の後方側に前記第２の変速段（２速、４速）のシフト完了位置が配置され、
前記変速機変速機構は、
前記シフト操作部材の前記セレクト操作によって軸方向に移動し且つ前記シフト操作部材の前記シフト操作によって軸周りに回動するとともにその側面から突出するインナレバー（ＩＬ）を備えたシフトアンドセレクトシャフトであって、前記シフト操作部材を前記シフトパターン上において前記第１及び第２の変速段に対応するセレクト位置から前記第１の変速段のシフト完了位置へ移動することによって前記シフトアンドセレクトシャフトの回動位置が基準位置から第１角度（θA）だけ回転した位置である第１位置（１速位置、３速位置）に移動し、前記シフト操作部材を前記シフトパターン上において前記第１、第２の変速段に対応するセレクト位置から前記第２の変速段のシフト完了位置へ移動することによって前記シフトアンドセレクトシャフトの回動位置が前記基準位置から前記基準位置に対して前記第１位置と反対側に前記第１角度（θA）だけ回転した位置である第２位置（２速位置、４速位置）に移動するシフトアンドセレクトシャフトと、
前記入力軸及び前記出力軸の一方の軸に相対回転不能且つ軸方向に相対移動可能に設けられた特定スリーブであって前記一方の軸に相対回転可能に設けられた前記第１の変速段用の遊転ギヤ（Ｇ１ｏ、Ｇ３ｏ）及び前記第２の変速段用の遊転ギヤ（Ｇ２ｏ、Ｇ４ｏ）を前記一方の軸に対して相対回転不能に選択的に固定するために前記第１の変速段用の遊転ギヤ及び前記第２の変速段用の遊転ギヤと選択的に係合可能な特定スリーブ（Ｓ１、Ｓ２）と、
前記特定スリーブと連結され、軸方向に移動することによって前記特定スリーブを軸方向に駆動する特定フォークシャフト（ＦＳ１、ＦＳ２）と、
前記特定インナレバーの係合部と前記特定フォークシャフトとの係合状態を調整する調整機構であって、前記シフトアンドセレクトシャフトの回動位置が前記基準位置から前記第１位置に移動する際、前記特定インナレバーの係合部が前記特定フォークシャフトを軸方向に駆動して前記特定フォークシャフトの軸方向位置が中立位置から前記中立位置から一方向側に第１距離（Ｂ２）だけ変位した位置（１速位置、３速位置）に移動するとともに前記特定スリーブが前記第１の変速段用の遊転ギヤと係合し、前記シフトアンドセレクトシャフトの回動位置が前記基準位置から前記第２位置に移動する際、前記特定インナレバーの係合部が前記特定フォークシャフトを軸方向に駆動して前記特定フォークシャフトの軸方向位置が前記中立位置から前記中立位置から前記一方向側と反対側に前記第１距離と異なる第２距離（Ｂ１）だけ変位した位置（２速位置、４速位置）に移動するとともに前記特定スリーブが前記第２の変速段用の遊転ギヤと係合するように構成された調整機構（Ｈ１、ＩＬ）と、
を備えた、手動変速機。
【請求項２】
請求項１に記載の手動変速機において、
前記シフトアンドセレクトシャフトと前記特定フォークシャフトとは、互いに垂直であり且つねじれの位置の関係となるように配置され、
前記調整機構は、
前記シフトアンドセレクトシャフトの回動位置が前記基準位置にある状態において、前記シフトアンドセレクトシャフトの軸方向からみたとき、前記特定インナレバー（ＩＬ）の係合部が、前記シフトアンドセレクトシャフトの回動中心を通る直線であって、且つ、前記回動中心から前記特定フォークシャフトに向けて下した垂線に対して所定角度（θｚ）だけ傾いた直線の上に位置し、
前記特定インナレバーの係合部が前記特定フォークシャフトと一体に連結された特定シフトヘッド（Ｈ１、Ｈ２）の凹部と係合することによって、前記特定インナレバーの係合部が前記特定フォークシャフトを軸方向に駆動するように構成される、
ことによって実現された、手動変速機。
【発明の詳細な説明】
【技術分野】
【０００１】
本発明は、車両に適用される手動変速機に関し、特に、内燃機関の出力軸と手動変速機の入力軸との間に摩擦クラッチが介装された車両に適用されるものに係わる。
【背景技術】
【０００２】
従来より、シフトパターン上のシフトレバーの位置に応じて複数の変速段のうちの１つが選択されるトルクコンバータを備えない手動変速機が広く知られている（例えば、特許文献１を参照）。この手動変速機では、シフトパターンとして所謂「Ｈパターン」が広く用いられる（例えば、後述する図４を参照）。
【０００３】
Ｈパターンでは、複数の変速段のそれぞれを確立するため、シフトパターン上においてシフトレバーの位置が、セレクト操作（車両の左右方向の操作）によって「対応するセレクト位置」に移動され、その後、シフト操作（車両の前後方向の操作）によって「対応するセレクト位置」から「対応するシフト完了位置」に移動される。具体的には、例えば、後述する図４に示すように、「第１及び第２の変速段に対応するセレクト位置」から車両の前方側に「第１の変速段のシフト完了位置」が配置され、「第１及び第２の変速段に対応するセレクト位置」から車両の後方側に「第２の変速段のシフト完了位置」が配置される。後述する図４に示す例では、「第１及び第２の変速段」とは、例えば、１速及び２速、或いは、３速及び４速に対応する。
【０００４】
シフトパターンとして「Ｈパターン」が採用された手動変速機では、変速段の選択・確立は、通常、シフトレバーの操作に連動するシフトアンドセレクトシャフト（Ｓ＆Ｓシャフト）のインナレバーがセレクト操作によって選択されたフォークシャフト（具体的には、フォークシャフトと一体のシフトヘッド）をシフト操作に応じて軸方向に駆動することによって行われる。以下、Ｓ＆Ｓシャフトとして、シフトレバーの「セレクト操作」によって軸方向に移動し且つシフトレバーの「シフト操作」によって軸周りに回動するタイプのもの（所謂「シフト回転型」）を想定する。
【０００５】
この場合、上記第１及び第２の変速段の選択・確立に際し、シフトレバーを「第１及び第２の変速段に対応するセレクト位置」から「第１の変速段のシフト完了位置」へ移動することによって、Ｓ＆Ｓシャフトの回動位置が基準位置から一方向側に第１角度だけ回転する。これにより、「第１及び第２の変速段に対応するフォークシャフト」の軸方向位置が中立位置から一方向側に第１距離だけ移動し、このフォークシャフトと一体のスリーブが第１の変速段用の遊転ギヤと係合する。この結果、第１の変速段が選択・確立される。
【０００６】
一方、シフトレバーを「第１及び第２の変速段に対応するセレクト位置」から「第２の変速段のシフト完了位置」へ移動することによって、Ｓ＆Ｓシャフトの回動位置が基準位置から前記一方向側と反対側に前記第１角度と同じ角度だけ回転する。これにより、「第１及び第２の変速段に対応するフォークシャフト」の軸方向位置が中立位置から前記一方向側と反対側に前記第１距離と同じ距離だけ移動し、このフォークシャフトと一体のスリーブが第２の変速段用の遊転ギヤと係合する。この結果、第２の変速段が選択・確立される。
【先行技術文献】
【特許文献】
【０００７】
【特許文献１】特開２０１０−２１６６０３号公報
【発明の概要】
【０００８】
上述したように、シフトパターンとして「Ｈパターン」が採用された手動変速機では、通常、Ｓ＆Ｓシャフトの回動位置が基準位置から一方向側に第１角度だけ回転する場合のフォークシャフトの一方向側への移動距離と、Ｓ＆Ｓシャフトの回動位置が基準位置から反対方向側に第１角度だけ回転する場合のフォークシャフトの反対方向側への移動距離とが同じ（＝前記第１距離）になる。即ち、フォークシャフトの軸方向における全移動範囲は、前記第１距離の２倍となる。
【０００９】
これに対し、本発明者は、フォークシャフトの軸方向における全移動範囲をより狭くでき、従って、変速機のハウジングをより小型化できる手動変速機を開発することに成功した。
【００１０】
本発明の目的は、車両用の手動変速機であって、フォークシャフトの軸方向における全移動範囲をより狭くでき、従って、変速機のハウジングをより小型化できるものを提供することにある。
【００１１】
本発明による手動変速機の特徴は、Ｓ＆Ｓシャフトの回動位置が基準位置から一方向側に第１角度（θA）だけ回転する場合のフォークシャフトの一方向側への移動距離（Ｂ２）と、Ｓ＆Ｓシャフトの回動位置が基準位置から反対方向側に第１角度（θA）だけ回転する場合のフォークシャフトの反対方向側への移動距離（Ｂ１）とが異なる点にある。
【００１２】
これによれば、「背景技術」の欄で述べた手動変速機に対して、フォークシャフトの軸方向における全移動範囲を短くすることができる。この結果、変速機のハウジングをより小型化することができる。
【００１３】
このような構成を達成するためには、具体的には、Ｓ＆Ｓシャフトとフォークシャフトとは、互いに垂直であり且つねじれの位置の関係となるように配置される。Ｓ＆Ｓシャフトの回動位置が前記基準位置にある状態において、Ｓ＆Ｓシャフトの軸方向からみたとき、インナレバーの係合部が、「Ｓ＆Ｓシャフトの回動中心を通り、且つ、前記回動中心からフォークシャフトに向けて下した垂線に対して所定角度（θｚ）だけ傾いた直線」の上に位置する。加えて、インナレバーの係合部がフォークシャフトと一体に連結されたシフトヘッドの凹部と係合することによって、インナレバーの係合部がフォークシャフトを軸方向に駆動するように構成される。
【００１４】
なお、本発明に係る手動変速機は、それぞれが前記入力軸又は前記出力軸に相対回転不能に設けられた複数の固定ギヤであってそれぞれが前記複数の変速段のそれぞれに対応する複数の固定ギヤ（Ｇ１ｉ、Ｇ２ｉ、Ｇ３ｉ、Ｇ４ｉ、Ｇ５ｉ）と、それぞれが前記入力軸又は前記出力軸に相対回転可能に設けられた複数の遊転ギヤであってそれぞれが前記複数の変速段のそれぞれに対応するとともに対応する変速段の前記固定ギヤと常時歯合する複数の遊転ギヤ（Ｇ１ｏ、Ｇ２ｏ、Ｇ３ｏ、Ｇ４ｏ、Ｇ５ｏ）と、それぞれが前記入力軸及び前記出力軸のうち対応する軸に相対回転不能且つ軸方向に相対移動可能に設けられた複数のスリーブであってそれぞれが前記複数の遊転ギヤのうち対応する遊転ギヤを前記対応する軸に対して相対回転不能に固定するために前記対応する遊転ギヤと係合可能な複数のスリーブ（Ｓ１、Ｓ２、Ｓ３）と、それぞれが前記複数のスリーブのそれぞれと連結され且つ軸方向に移動可能な複数のフォークシャフト（ＦＳ１、ＦＳ２、ＦＳ３）と、を備える。「特定スリーブ」は、前記複数のスリーブのうちの１つ以上に対応し、「特定フォークシャフト」は、前記複数のフォークシャフトのうちの１つ以上に対応する。
【図面の簡単な説明】
【００１５】
【図１】本発明の実施形態に係るＨＶ−ＭＴ車用の手動変速機を含む動力伝達制御装置のＮ位置が選択された状態における概略構成図である。
【図２】Ｎ位置が選択された状態におけるＳ＆Ｓシャフト及び複数のフォークシャフトの位置関係を示した模式図である。
【図３】「フォークシャフト」と「インナレバー」との係合状態を示した模式図である。
【図４】シフトパターンの詳細を示した図である。
【図５】１速位置が選択された状態における図１に対応する図である。
【図６】１速位置が選択された状態における図２に対応する図である。
【図７】２速位置が選択された状態における図１に対応する図である。
【図８】２速位置が選択された状態における図２に対応する図である。
【図９】３速位置が選択された状態における図１に対応する図である。
【図１０】３速位置が選択された状態における図２に対応する図である。
【図１１】４速位置が選択された状態における図１に対応する図である。
【図１２】４速位置が選択された状態における図２に対応する図である。
【図１３】５速位置が選択された状態における図１に対応する図である。
【図１４】５速位置が選択された状態における図２に対応する図である。
【図１５】本発明の実施形態の変形例に係る図３に対応する図である。
【発明を実施するための形態】
【００１６】
以下、本発明の実施形態に係る手動変速機Ｍ／Ｔを備えた車両の動力伝達制御装置の一例（以下、「本装置」と呼ぶ）について図面を参照しながら説明する。図１に示すように、本装置は、「動力源としてエンジンＥ／ＧとモータジェネレータＭ／Ｇとを備え、且つ、トルクコンバータを備えない手動変速機Ｍ／Ｔと、摩擦クラッチＣ／Ｔとを備えた車両」、即ち、所謂「ＨＶ−ＭＴ車」に適用される。この「ＨＶ−ＭＴ車」は、前輪駆動車であっても、後輪駆動車であっても、４輪駆動車であってもよい。なお、本装置は、動力源としてエンジンＥ／Ｇのみを備え、且つ、手動変速機Ｍ／Ｔと、摩擦クラッチＣ／Ｔとを備えた車両」（即ち、通常のＭＴ車）に適用されてもよいことはいうまでもない。
【００１７】
（全体構成）
先ず、本装置の全体構成について説明する。エンジンＥ／Ｇは、周知の内燃機関であり、例えば、ガソリンを燃料として使用するガソリンエンジン、軽油を燃料として使用するディーゼルエンジンである。
【００１８】
手動変速機Ｍ／Ｔは、運転者により操作されるシフトレバーＳＬのシフト位置に応じて変速段が選択されるトルクコンバータを備えない変速機（所謂、マニュアルトランスミッション）である。Ｍ／Ｔは、Ｅ／Ｇの出力軸Ａｅから動力が入力される入力軸Ａｉと、Ｍ／Ｇから動力が入力されるとともに車両の駆動輪へ動力を出力する出力軸Ａｏと、を備える。入力軸Ａｉ及び出力軸Ａｏは互いに平行に配置されている。出力軸Ａｏは、Ｍ／Ｇの出力軸そのものであってもよいし、Ｍ／Ｇの出力軸と平行であり且つＭ／Ｇの出力軸とギヤ列を介して常時動力伝達可能に接続された軸であってもよい。Ｍ／Ｔの構成の詳細は後述する。
【００１９】
摩擦クラッチＣ／Ｔは、Ｅ／Ｇの出力軸ＡｅとＭ／Ｔの入力軸Ａｉとの間に介装されている。Ｃ／Ｔは、運転者により操作されるクラッチペダルＣＰの操作量（踏み込み量）に応じて摩擦プレートの接合状態（より具体的には、Ａｅと一体回転するフライホイールに対する、Ａｉと一体回転する摩擦プレートの軸方向位置）が変化する周知のクラッチである。
【００２０】
Ｃ／Ｔの接合状態（摩擦プレートの軸方向位置）は、クラッチペダルＣＰとＣ／Ｔ（摩擦プレート）とを機械的に連結するリンク機構等を利用してＣＰの操作量に応じて機械的に調整されてもよいし、ＣＰの操作量を検出するセンサ（後述するセンサＰ１）の検出結果に基づいて作動するアクチュエータの駆動力を利用して電気的に（所謂バイ・ワイヤ方式で）調整されてもよい。
【００２１】
モータジェネレータＭ／Ｇは、周知の構成（例えば、交流同期モータ）の１つを有していて、例えば、ロータ（図示せず）が出力軸Ａｏと一体回転するようになっている。即ち、Ｍ／Ｇの出力軸とＭ／Ｔの出力軸Ａｏとの間では動力伝達系統が常時確立されている。以下、Ｅ／Ｇの出力軸Ａｅの駆動トルクを「ＥＧトルク」と呼び、Ｍ／Ｇの出力軸（出力軸Ａｏ）の駆動トルクを「ＭＧトルク」と呼ぶ。
【００２２】
また、本装置は、クラッチペダルＣＰの操作量（踏み込み量、クラッチストローク等）を検出するクラッチ操作量センサＰ１と、ブレーキペダルＢＰの操作量（踏力、操作の有無等）を検出するブレーキ操作量センサＰ２と、アクセルペダルＡＰの操作量（アクセル開度）を検出するアクセル操作量センサＰ３と、シフトレバーＳＬの位置を検出するシフト位置センサＰ４と、を備えている。
【００２３】
更に、本装置は、電子制御ユニットＥＣＵを備えている。ＥＣＵは、上述のセンサＰ１〜Ｐ４、並びにその他のセンサ等からの情報等に基づいて、Ｅ／Ｇの燃料噴射量（スロットル弁の開度）を制御することでＥＧトルクを制御するとともに、インバータ（図示せず）を制御することでＭＧトルクを制御する。
【００２４】
（Ｍ／Ｔの構成）
以下、Ｍ／Ｔの構成の詳細について図１〜図４を参照しながら説明する。図１及び図４に示すシフトレバーＳＬのシフトパターンから理解できるように、本例では、選択される変速段（シフト完了位置）として、前進用の５つの変速段（１速〜５速）、及び後進用の１つの変速段（Ｒ）が設けられている。以下、後進用の変速段（Ｒ）についての説明は省略する。
【００２５】
図４に示すように、シフトレバーＳＬのシフトパターンとして所謂「Ｈパターン」が採用されている。シフトパターン上において、シフトレバーＳＬの車両左右方向の操作を「セレクト操作」と呼び、シフトレバーＳＬの車両前後方向の操作を「シフト操作」と呼ぶ。
【００２６】
シフトパターン上において、「１速」及び「２速」のシフト完了位置、「３速」及び「４速」のシフト完了位置、並びに、「５速」のシフト完了位置はそれぞれ、１−２セレクト位置、Ｎ位置、並びに、５−Ｒセレクト位置からシフト操作方向（車両の前後方向）に距離Ａだけ離れた位置にある。以下、説明の便宜上、「Ｎ位置」、「１−２セレクト位置」、「５−Ｒセレクト位置」を含むセレクト操作範囲に対応するシフト位置の範囲を総称して「ニュートラル範囲」と呼ぶ。
【００２７】
Ｍ／Ｔは、スリーブＳ１、Ｓ２、及びＳ３を備える。Ｓ１、Ｓ２、及びＳ３はそれぞれ、出力軸Ａｏと一体回転する対応するハブに相対回転不能且つ軸方向に相対移動可能に嵌合された、「１速−２速」用のスリーブ、「３速−４速」用のスリーブ、及び「５速」用のスリーブである。スリーブＳ１、Ｓ２、Ｓ３は、図２及び図３に示すフォークシャフトＦＳ１、ＦＳ２、ＦＳ３と（対応するフォークを介して）それぞれ一体に連結されている。Ｍ／Ｔの図示しないハウジング内において、ＦＳ１〜ＦＳ３は互いに平行に配置されている。
【００２８】
ＦＳ１、ＦＳ２、ＦＳ３（従って、Ｓ１、Ｓ２、Ｓ３）はそれぞれ、シフトレバーＳＬの操作と連動するＳ＆Ｓシャフトに一体に設けられたインナレバーＩＬ（図２、図３を参照）の回動動作によって軸方向（図２では上下方向、図１及び図３では左右方向）に駆動される。Ｓ＆Ｓシャフトは、シフトレバーＳＬのセレクト操作（図１、図４では左右方向の操作）によって軸方向に平行移動し且つシフトレバーＳＬのシフト操作（図１、図４では上下方向の操作）によって軸中心に回動するようになっている（シフト回転型）。Ｍ／Ｔの図示しないハウジング内において、Ｓ＆ＳシャフトとフォークシャフトＦＳ１〜ＦＳ３とは、互いに垂直であり且つねじれの位置の関係となるように配置されている。
【００２９】
図３は、シフトレバーＳＬがニュートラル範囲にあるときのＳ＆Ｓシャフトの回動位置を示す。以下、この回動位置を「基準位置」と呼ぶ。図３から理解できるように、Ｓ＆Ｓシャフトの回動位置が基準位置にある状態において、Ｓ＆Ｓシャフトの軸方向からみたとき、インナレバーＩＬの係合部（先端部）は、「Ｓ＆Ｓシャフトの回動中心を通り、且つ、その回動中心からフォークシャフトに向けて下した垂線に対して所定角度θｚだけ傾いた直線」の上に位置している。
【００３０】
インナレバーＩＬの係合部は、シフトレバーＳＬが１−２セレクト位置にあるときにＦＳ１と一体に連結されたシフトヘッドＨ１の凹部と係合し、ＳＬがＮ位置にあるときにＦＳ２と一体に連結されたシフトヘッドＨ２の凹部と係合し、ＳＬが５−Ｒセレクト位置にあるときにＦＳ３と一体に連結されたシフトヘッドＨ３の凹部と係合する。これにより、ＩＬの係合部がＦＳ１、ＦＳ２、ＦＳ３を選択的に軸方向に駆動するようになっている。以下、Ｓ＆Ｓシャフトの回動位置が基準位置にあるときのＦＳ１、ＦＳ２、ＦＳ３のそれぞれの軸方向位置をそれぞれの「中立位置」と呼ぶ。
【００３１】
シフトパターン上において、ＳＬが、１−２セレクト位置から「１速のシフト完了位置」へ、Ｎ位置から「３速のシフト完了位置」へ、又は、５−Ｒセレクト位置から「５速のシフト完了位置」へ移動する（即ち、車両前方側へ距離Ａだけ移動する）ことによって、Ｓ＆Ｓシャフトの回動位置が基準位置から図３において反時計回りに角度θＡだけ回転した位置（１速位置、３速位置、５速位置）に移動する。この結果、ＦＳ１（従って、Ｓ１）、ＦＳ２（従って、Ｓ２）、又は、ＦＳ３（従って、Ｓ３）の軸方向位置が、中立位置から距離Ｂ２だけ図３において左側に偏移した位置（１速位置、３速位置、５速位置）に移動する。
【００３２】
一方、ＳＬが、１−２セレクト位置から「２速のシフト完了位置」へ、又は、Ｎ位置から「４速のシフト完了位置」へ移動する（即ち、車両後方側へ距離Ａだけ移動する）ことによって、Ｓ＆Ｓシャフトの回動位置が基準位置から図３において時計回りに角度θＡだけ回転した位置（２速位置、４速位置）に移動する。この結果、ＦＳ１（従って、Ｓ１）、又は、ＦＳ２（従って、Ｓ２）の軸方向位置が、中立位置から距離Ｂ１だけ図３において右側に偏移した位置（２速位置、４速位置）に移動する。
【００３３】
ここで、Ｂ２＞Ｂ１が成立している。即ち、ＩＬの基準位置からの回動角度が反時計回りと時計回りとで同じであっても、ＦＳ１、ＦＳ２、ＦＳ３（従って、Ｓ１、Ｓ２、Ｓ３）の軸方向の移動量が異なる。これは、上述のように、ＩＬの係合部が、前記「垂線」に対して所定角度θｚだけ傾いた直線の上に位置していることに基づく。以上、Ｓ１〜Ｓ３のそれぞれが前記「特定スリーブ」に対応し、ＦＳ１〜ＦＳ３のそれぞれが前記「特定フォークシャフト」に対応し、Ｈ１〜Ｈ３のそれぞれが前記「特定シフトヘッド」に対応している。以下、各変速段について順に説明していく。
【００３４】
図１、２に示すように、シフトレバーＳＬが「Ｎ位置」（より正確には、ニュートラル範囲）にある状態では、スリーブＳ１、Ｓ２、及びＳ３の全てが「中立位置」にある。この状態では、Ｓ１、Ｓ２、及びＳ３はそれぞれ、対応する何れの遊転ギヤとも係合していない。即ち、入力軸Ａｉと出力軸Ａｏとの間では動力伝達系統が確立されない。
【００３５】
図５、６に示すように、シフトレバーＳＬが「Ｎ位置」から（１−２セレクト位置を経由して）「１速のシフト完了位置」に移動すると、Ｓ＆ＳシャフトのＩＬがシフトヘッドＨ１の「１速側係合部」を「１速」方向（図６では上方向）に距離Ｂ２だけ駆動することによって、ＦＳ１（従って、Ｓ１）のみが「１速位置」に移動する。スリーブＳ２、Ｓ３はそれぞれ「中立位置」にある。
【００３６】
この状態では、図５に示すように、Ｓ１は、遊転ギヤＧ１ｏと係合し、Ｇ１ｏを出力軸Ａｏに対して相対回転不能に固定している。また、Ｇ１ｏは、入力軸Ａｉに固定された固定ギヤＧ１ｉと常時噛合している。この結果、図５に太い実線で示すように、Ｍ／Ｇと出力軸Ａｏとの間で動力伝達系統が確立されることに加えて、入力軸Ａｉと出力軸Ａｏとの間で、Ｇ１ｉ及びＧ１ｏを介して「１速」に対応する動力伝達系統が確立される。即ち、「１速」が選択された場合、クラッチＣ／Ｔを介して伝達されるＥＧトルクと、ＭＧトルクとの両方を利用して車両が走行する状態（即ち、所謂「ＨＶ走行」）が実現される。
【００３７】
図７、８に示すように、シフトレバーＳＬが「Ｎ位置」から（１−２セレクト位置を経由して）「２速のシフト完了位置」に移動すると、Ｓ＆ＳシャフトのＩＬがシフトヘッドＨ１の「２速側係合部」を「２速」方向（図８では下方向）に距離Ｂ１だけ駆動することによって、ＦＳ１（従って、Ｓ１）のみが「２速位置」に移動する。スリーブＳ２、Ｓ３はそれぞれ「中立位置」にある。
【００３８】
この状態では、Ｓ１は、遊転ギヤＧ２ｏと係合し、遊転ギヤＧ２ｏを出力軸Ａｏに対して相対回転不能に固定している。また、Ｇ２ｏは、入力軸Ａｉに固定された固定ギヤＧ２ｉと常時噛合している。この結果、図７に太い実線で示すように、Ｍ／Ｇと出力軸Ａｏとの間で動力伝達系統が確立されることに加えて、入力軸Ａｉと出力軸Ａｏとの間で、Ｇ２ｉ及びＧ２ｏを介して「２速」に対応する動力伝達系統が確立される。即ち、「２速」が選択された場合、上記「ＨＶ走行」が実現される。
【００３９】
以下、図９〜図１４に示すように、シフトレバーＳＬが「３速」、「４速」、「５速」にある場合も、「１速」や「２速」の場合と同様、上記「ＨＶ走行」が実現される。即ち、「３速」、「４速」、「５速」ではそれぞれ、Ｍ／Ｇと出力軸Ａｏとの間で動力伝達系統が確立されることに加えて、入力軸Ａｉと出力軸Ａｏとの間で、「Ｇ３ｉ及びＧ３ｏ」、「Ｇ４ｉ及びＧ４ｏ」、「Ｇ５ｉ及びＧ５ｏ」を介して、「３速」、「４速」、「５速」に対応する動力伝達系統が確立される。なお、ＥＧトルクの伝達系統について、「Ａｏの回転速度に対するＡｉの回転速度の割合」を「ＭＴ減速比」と呼ぶものとすると、「１速」から「５速」に向けてＭＴ減速比（ＧＮｏの歯数／ＧＮｉの歯数）（Ｎ：１〜５）が次第に小さくなっていく。
【００４０】
（Ｅ／Ｇの制御）
本装置によるＥ／Ｇの制御は、大略的に以下のようになされる。車両が停止しているとき、或いは、「Ｎ」が選択されているとき、Ｅ／Ｇが停止状態（燃料噴射がなされない状態）に維持される。Ｅ／Ｇの停止状態において、ＨＶ走行用の変速段（「１速」〜「５速」の何れか）が選択されたことに基づいて、Ｅ／Ｇが始動される（燃料噴射が開始される）。Ｅ／Ｇの稼働中（燃料噴射がなされている間）では、アクセル開度等に基づいてＥＧトルクが制御される。Ｅ／Ｇの稼働中において、「Ｎ」が選択されたこと、或いは、車両が停止したことに基づいて、Ｅ／Ｇが再び停止状態に維持される。
【００４１】
（Ｍ／Ｇの制御）
本装置によるＭ／Ｇの制御は、大略的に以下のようになされる。車両が停止しているとき、或いは、「Ｎ」が選択されているとき、Ｍ／Ｇが停止状態（ＭＧトルク＝０）に維持される。Ｍ／Ｇの停止状態において、「１速」が選択されたことに基づいて、ＭＧトルクを利用した通常発進制御が開始される。通常発進制御では、ＭＧトルクがアクセル開度及びクラッチストロークに基づいて制御される。通常発進制御でのＭＧトルクは、「手動変速機と摩擦クラッチとを備え且つ動力源として内燃機関のみを搭載した通常車両」が「１速」で発進する際における「アクセル開度及びクラッチストローク」と「クラッチを介して手動変速機の入力軸へ伝達される内燃機関のトルク」との関係を規定する予め作製されたマップ等を利用して決定される。通常発進制御の終了後は、アクセル開度等に基づいてＭＧトルクが制御される。そして、車両が停止したことに基づいて、Ｍ／Ｇが再び停止状態に維持される。
【００４２】
（作用・効果）
上記のように、本発明の実施形態に係る手動変速機Ｍ／Ｔでは、Ｓ＆Ｓシャフトの回動位置が基準位置から一方向側に第１角度（θA）だけ回転する場合のフォークシャフトの一方向側への移動距離（Ｂ２）と、Ｓ＆Ｓシャフトの回動位置が基準位置から反対方向側に第１角度（θA）だけ回転する場合のフォークシャフトの反対方向側への移動距離（Ｂ１）とが異なる（図３等を参照）。これは、Ｓ＆Ｓシャフトの回動位置が基準位置にある場合のインナレバーＩＬの係合部が、前記「垂線」に対して所定角度θｚだけ傾いた直線の上に位置していることに基づく。
【００４３】
上記構成によれば、「背景技術」の欄で述べた手動変速機、即ち、「Ｓ＆Ｓシャフトの回動位置が基準位置から一方向側に第１角度だけ回転する場合のフォークシャフトの一方向側への移動距離とＳ＆Ｓシャフトの回動位置が基準位置から反対方向側に第１角度だけ回転する場合のフォークシャフトの反対方向側への移動距離とが同じになる」手動変速機に対して、フォークシャフトの軸方向における全移動範囲を短くすることができる。この結果、変速機のハウジングをより小型化することができる。
【００４４】
本発明は上記実施形態に限定されることはなく、本発明の範囲内において種々の変形例を採用することができる。例えば、上記実施形態では、スリーブＳ１〜Ｓ３が共に入力軸Ａｉに設けられているが、スリーブＳ１〜Ｓ３が共に出力軸Ａｏに設けられていてもよい。また、スリーブＳ１〜Ｓ３のうちの一部が出力軸Ａｏに残りが入力軸Ａｉに設けられていてもよい。また、Ｍ／Ｇは省略されてもよい。
【００４５】
また、上記実施形態では、スリーブＳ１〜Ｓ３の軸方向位置が、シフトレバーＳＬとスリーブＳ１〜Ｓ３とを機械的に連結するリンク機構（Ｓ＆Ｓシャフトとフォークシャフト）等を利用してシフトレバーＳＬのシフト位置に応じて機械的に調整されている。これに対し、スリーブＳ１〜Ｓ３の軸方向位置が、シフト位置センサＰ４の検出結果に基づいて作動するアクチュエータの駆動力を利用して電気的に（所謂バイ・ワイヤ方式で）調整されてもよい。
【００４６】
また、上記実施形態では、フォークシャフトＦＳ１〜ＦＳ３の全てがＳ＆ＳシャフトのインナレバーＩＬ（即ち、Ｓ＆Ｓシャフトの回動位置が基準位置にある場合にその係合部が前記「垂線」に対して所定角度θｚだけ傾いた直線の上に位置するインナレバー）によって駆動されている。即ち、Ｓ１〜Ｓ３の全てが前記「特定スリーブ」に対応し、ＦＳ１〜ＦＳ３の全てが前記「特定フォークシャフト」に対応し、Ｈ１〜Ｈ３の全てが前記「特定シフトヘッド」に対応している。
【００４７】
これに対し、図１５に示すように、ＦＳ１のみがＳ＆Ｓシャフトの第１インナレバーＩＬ１（図３に示すインナレバーＩＬと同じもの）によって駆動され、ＦＳ２及びＦＳ３がＳ＆Ｓシャフトの第２インナレバーＩＬ２によって駆動されてもよい。ＩＬ２の係合部は、Ｓ＆Ｓシャフトの回動位置が基準位置にある場合において前記「垂線」上に位置している。従って、Ｓ＆Ｓシャフトの回動位置が基準位置から一方向側に第１角度だけ回転する場合のＦＳ２、ＦＳ３の一方向側への移動距離と、Ｓ＆Ｓシャフトの回動位置が基準位置から反対方向側に第１角度だけ回転する場合のＦＳ２、ＦＳ３の反対方向側への移動距離とは、同じになる。この場合、Ｓ１〜Ｓ３のうちＳ１のみが前記「特定スリーブ」に対応し、ＦＳ１〜ＦＳ３のうちＦＳ１のみが前記「特定フォークシャフト」に対応し、Ｈ１〜Ｈ３のうちＨ１のみが前記「特定シフトヘッド」に対応する。
【００４８】
同様に、ＦＳ２（或いはＦＳ３）がＳ＆Ｓシャフトの第１インナレバーＩＬ１（図１５を参照）によって駆動され、ＦＳ１及びＦＳ３（或いはＦＳ１及びＦＳ２）がＳ＆Ｓシャフトの第２インナレバーＩＬ２（図１５を参照）によって駆動されてもよい。この場合、Ｓ１〜Ｓ３のうちＳ２（或いはＳ３）が前記「特定スリーブ」に対応し、ＦＳ１〜ＦＳ３のうちＦＳ２（或いはＦＳ３）が前記「特定フォークシャフト」に対応し、Ｈ１〜Ｈ３のうちＨ２（或いはＨ３）が前記「特定シフトヘッド」に対応する。
【符号の説明】
【００４９】
Ｍ／Ｔ…変速機、Ｅ／Ｇ…エンジン、Ｃ／Ｔ…クラッチ、Ｍ／Ｇ…モータジェネレータ、Ａｅ…エンジンの出力軸、Ａｉ…変速機の入力軸、Ａｏ…変速機の出力軸、ＣＰ…クラッチペダル、ＡＰ…アクセルペダル、ＢＰ…ブレーキペダル、Ｐ１…クラッチ操作量センサ、Ｐ３…アクセル操作量センサ、Ｐ４…シフト位置センサ、ＥＣＵ…電子制御ユニット
【図１】
2012189156.tif 000003
【図２】
2012189156.tif 000004
【図３】
2012189156.tif 000005
【図４】
2012189156.tif 000006
【図５】
2012189156.tif 000007
【図６】
2012189156.tif 000008
【図７】
2012189156.tif 000009
【図８】
2012189156.tif 000010
【図９】
2012189156.tif 000011
【図１０】
2012189156.tif 000012
【図１１】
2012189156.tif 000013
【図１２】
2012189156.tif 000014
【図１３】
2012189156.tif 000015
【図１４】
2012189156.tif 000016
【図１５】
2012189156.tif 000017